(57)【特許請求の範囲】
【請求項１】
無線通信環境において、アンテナ仮想化を実現することを容易にする方法であって、
物理的な送信アンテナのセットを、物理的な送信アンテナの複数のグループへ分割することと、
前記物理的な送信アンテナの複数のグループの数に対応する仮想アンテナの数を、レガシーＵＥへ通知することと、
前記物理的な送信アンテナのセットにおける物理的な送信アンテナの数を、非レガシーＵＥへ通知することと、
前記物理的な送信アンテナの複数のグループからの物理的な送信アンテナの特定のグループのための事前符号化ベクトルを定式化することと、ここで、前記物理的な送信アンテナの特定のグループは、特定の仮想アンテナを形成する、
前記特定の仮想アンテナによる送信用の信号に、前記事前符号化ベクトルを適用することと
を備える方法。
【請求項２】
前記物理的な送信アンテナのセットは、Ｔ個の物理的な送信アンテナを含み、前記Ｔ個の物理的な送信アンテナのセットは、物理的な送信アンテナのＬ個のグループへ分割され、Ｔは整数であり、Ｌは、Ｔ以下の整数である、請求項１に記載の方法。
【請求項３】
Ｌ個の仮想アンテナに対応するＬ個の事前符号化ベクトルが定式化される請求項２に記載の方法。
【請求項４】
前記物理的な送信アンテナの複数のグループからの物理的な送信アンテナの別のグループのための別の事前符号化ベクトルを定式化することと、ここで、前記物理的な送信アンテナの別のグループは、前記特定のグループとは異なり、前記別の事前符号化ベクトルは、前記特定のグループのための事前符号化ベクトルとは異なり、前記物理的な送信アンテナの別のグループは、前記特定の仮想アンテナとは別の仮想アンテナを形成する、
前記別の仮想アンテナによる送信用の別の信号に、前記別の事前符号化ベクトルを適用することと、ここで、前記別の信号は、前記特定の仮想アンテナによる送信用の信号とは異なる、
をさらに備える請求項１に記載の方法。
【請求項５】
アンテナ仮想化に関連する情報が、前記ＵＥに対して透過的である請求項１に記載の方法。
【請求項６】
前記事前符号化ベクトルは、単位ノルム・ベクトルである請求項１に記載の方法。
【請求項７】
前記事前符号化ベクトルは、前記特定の仮想アンテナに参加する前記特定のグループにおける物理的な送信アンテナに対応する非ゼロ入力を持つ単位ノルム・ベクトルである請求項１に記載の方法。
【請求項８】
前記事前符号化ベクトルは、ディスクリート・フーリエ変換（ＤＦＴ）行列の特定のカラムであり、前記ＤＦＴ行列の別のカラムが、別の仮想アンテナのために利用される、請求項１に記載の方法。
【請求項９】
無線通信装置であって、
物理的な送信アンテナのセットを、物理的な送信アンテナの複数のグループに分割することと、
前記物理的な送信アンテナの複数のグループの数に対応する仮想アンテナの数を、レガシーＵＥへ通知することと、
前記物理的な送信アンテナのセットにおける物理的な送信アンテナの数を、非レガシーＵＥへ通知することと、
前記物理的な送信アンテナの複数のグループからの物理的な送信アンテナの特定のグループのための事前符号化ベクトルを生成することと、ここで、前記物理的な送信アンテナの特定のグループは、特定の仮想アンテナを形成する、
前記特定の仮想アンテナによる送信用の信号に前記事前符号化ベクトルを適用することと、
に関連する命令群を保持するメモリと、
前記メモリに接続され、前記メモリに保持された命令群を実行するように構成されたプロセッサと
を備える無線通信装置。
【請求項１０】
アンテナ仮想化に関連する情報が、受信無線通信装置に対して透過的である請求項９に記載の無線通信装置。
【請求項１１】
前記メモリはさらに、
形成する仮想アンテナの数を選択することと、
前記特定のグループのための事前符号化ベクトルを選択することと
に関連する命令群を保持し、
前記仮想アンテナの数は、前記物理的な送信アンテナのセットが分割されるグループの数である、請求項９に記載の無線通信装置。
【請求項１２】
前記事前符号化ベクトルは、前記特定の仮想アンテナに参加する前記特定のグループにおける物理的な送信アンテナに対応する非ゼロ入力を持つ単位ノルム・ベクトルである請求項９に記載の無線通信装置。
【請求項１３】
前記事前符号化ベクトル内の前記非ゼロ入力は定数である請求項１２に記載の無線通信装置。
【請求項１４】
前記事前符号化ベクトル内の前記非ゼロ入力は、周波数依存または時間依存のうちの少なくとも１つである請求項１２に記載の無線通信装置。
【請求項１５】
前記事前符号化ベクトルは、ディスクリート・フーリエ変換（ＤＦＴ）行列の特定のカラムであり、前記ＤＦＴ行列の別のカラムが、別の仮想アンテナのために利用される請求項９に記載の無線通信装置。
【請求項１６】
無線通信環境において、アンテナ仮想化を有効にすることを可能にする無線通信装置であって、
物理的な送信アンテナのセットを、物理的な送信アンテナの複数のグループへ分割する手段と、ここで、前記グループの各々は、それぞれの仮想アンテナに対応する、
前記物理的な送信アンテナの複数のグループの数を、レガシーＵＥへ通知する手段と、
前記物理的な送信アンテナのセットにおける物理的な送信アンテナの数を、非レガシーＵＥへ通知する手段と、
前記物理的な送信アンテナの複数のグループのための、それぞれの事前符号化ベクトルを生成する手段と、
前記それぞれの事前符号化ベクトルを用いて、送信用の信号に、事前符号化を実施する手段と
を備える無線通信装置。
【請求項１７】
前記それぞれの事前符号化ベクトルは、それぞれの単位ノルム・ベクトルである請求項１６に記載の無線通信装置。
【請求項１８】
前記それぞれの事前符号化ベクトルは、ディスクリート・フーリエ変換（ＤＦＴ）行列のそれぞれのカラムである請求項１６に記載の無線通信装置。
【請求項１９】
アンテナ仮想化に関連する情報が、受信無線通信装置に対して透過的である請求項１６に記載の無線通信装置。
【請求項２０】
コンピュータ読取可能な記録媒体であって、
物理的な送信アンテナのセットを、物理的な送信アンテナの複数のグループへ分割するためのコードと、ここで、前記グループの各々は、それぞれの仮想アンテナに対応する、
前記物理的な送信アンテナの複数のグループの数を、レガシーＵＥへ通知するためのコードと、
前記物理的な送信アンテナのセットにおける物理的な送信アンテナの数を、非レガシーＵＥへ通知するためのコードと、
前記物理的な送信アンテナの複数のグループのための、それぞれの事前符号化ベクトルを生成するためのコードと、
前記それぞれの事前符号化ベクトルを用いて、送信用の信号に事前符号化を実施するためのコードと
を記録したコンピュータ読取可能な記録媒体。
【請求項２１】
前記それぞれの事前符号化ベクトルは、それぞれの仮想アンテナをそれぞれが形成する、物理的な送信アンテナに対応する、非ゼロ入力を持つ、それぞれの単位ノルム・ベクトルである、請求項２０に記載のコンピュータ読取可能な記録媒体。
【請求項２２】
前記それぞれの事前符号化ベクトルは、ディスクリート・フーリエ変換（ＤＦＴ）行列のそれぞれのカラムである請求項２０に記載のコンピュータ読取可能な記録媒体。
【請求項２３】
アンテナ仮想化に関連する情報が、受信無線通信装置に対して透過的である請求項２０に記載のコンピュータ読取可能な記録媒体。
【請求項２４】
無線通信装置であって、
物理的な送信アンテナのセットを、物理的な送信アンテナの複数のグループへ分割し、
前記物理的な送信アンテナの複数のグループの数に対応する仮想アンテナの数を、レガシーＵＥへ通知し、
前記物理的な送信アンテナのセットにおける物理的な送信アンテナの数を、非レガシーＵＥへ通知し、
前記物理的な送信アンテナの複数のグループからの物理的な送信アンテナの特定のグループのための事前符号化ベクトルを定式化し、ここで、前記物理的な送信アンテナの特定のグループは、特定の仮想アンテナを形成する、
前記特定の仮想アンテナによる送信用の信号に、前記事前符号化ベクトルを適用する
ように構成されたプロセッサを備える無線通信装置。
【発明の詳細な説明】
【関連出願に対する相互参照】
【０００１】
本願は、２００９年２月２日に出願された「無線通信システムにおいて仮想アンテナをマップするための方法および装置」（A METHOD AND APPARATUS FOR MAPPING VIRTUAL ANTENNA'S IN A WIRELESS COMMUNICATION SYSTEM）と題された米国仮特許出願６１／１４９，３２５号の利益を主張する。上記出願の全体は、参照によって本明細書に組み込まれる。
【技術分野】
【０００２】
以下の記載は、一般に、無線通信に関し、さらに詳しくは、無線通信環境においてアンテナ仮想化を実現することに関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
一般に、無線多元接続通信システムは、複数のユーザ機器（ＵＥ）のための通信を同時にサポートしうる。ＵＥはおのおのの、順方向リンクおよび逆方向リンクにおける送信によって、１または複数の基地局と通信しうる。順方向リンク（すなわち、ダウンリンク）は基地局からＵＥへの通信リンクを称し、逆方向リンク（すなわち、アップリンク）はＵＥから基地局への通信リンクを称する。この通信リンクは、単一入力単一出力、複数入力単一出力、あるいは複数入力複数出力（ＭＩＭＯ）のシステムによって確立されうる。
【０００５】
ＭＩＭＯシステムはデータ送信のために一般に、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００６】
ＭＩＭＯシステムは、順方向リンク通信および逆方向リンク通信を、共通の物理媒体によって分割するさまざまなデュプレクス技術をサポートしうる。例えば、周波数分割デュプレクス（ＦＤＤ）システムは、順方向リンク通信および逆方向リンク通信のために異なる周波数領域を利用しうる。さらに、時分割デュプレクス（ＴＤＤ）システムでは、順方向リンク通信および逆方向リンク通信は、相互原理によって逆方向リンク・チャネルから順方向リンク・チャネルの推定が可能になるように、共通の周波数領域を適用する。
【０００７】
無線通信システムはしばしば、有効通信範囲領域を提供する１または複数の基地局を使用する。一般的な基地局は、サービスのブロードキャスト、マルチキャスト、および／または、ユニキャストのために複数のデータ・ストリームを送信しうる。ここで、データ・ストリームは、ＵＥに興味のある独立した受信でありうる。このような基地局の有効通信範囲エリア内のＵＥは、合成ストリームによって伝送される１つ、複数、あるいはすべてのデータ・ストリームを受信するように適用されうる。同様に、ＵＥは、基地局あるいは別のＵＥへデータを送信しうる。
【０００８】
無線通信装置（例えば、ＵＥ、基地局等）は、複数の物理的な送信アンテナを装備しうる。複数の物理的な送信アンテナを利用するために、しばしば、それぞれの信号が提供される。したがって、例えば、（おのおのの物理的な送信アンテナが、４つの信号のうちのそれぞれ１つを送信する）４つの物理的な送信アンテナを適用するために４つの信号が適用されうる。しかしながら、前述した技術からは、多大なオーバヘッドが生じうる。さらに、複数の物理的な送信アンテナのサブセットを適用することによって、物理的な送信アンテナや、物理的な送信アンテナに関連付けられた電力増幅器（ＰＡ）等が非効率的に利用される。別の例によれば、受信無線通信装置（例えば、ＵＥ、基地局等）は、複数の物理的な送信アンテナによって送信された複数の信号を受信および／または処理できないことがありうる。この例によれば、無線通信装置が備えている物理的な送信アンテナの数は、受信無線通信装置によってサポートされている物理的な送信アンテナの数を上回りうる。
【発明の概要】
【０００９】
以下は、１または複数の実施形態の基本的な理解を与えるために、このような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【００１０】
１または複数の実施形態および対応する開示によれば、さまざまな態様が、無線通信環境におけるアンテナ仮想化のパフォーマンスを容易にすることに関連して記載される。物理的な送信アンテナのセットが、物理的な送信アンテナの複数のグループへ分割されうる。さらに、物理的な送信アンテナの複数のグループから、物理的な送信アンテナの特定のグループの事前符号化ベクトルが定式化されうる。さらに、物理的な送信アンテナの特定のグループが、特定の仮想アンテナを形成しうる。別の例によれば、物理的な送信アンテナの複数のグループから、物理的な送信アンテナの別のグループの別の事前符号化ベクトルが定式化され、物理的な送信アンテナの別のグループが、別の仮想アンテナを形成しうる。事前符号化ベクトルは、特定の仮想アンテナによる送信用の信号に適用され、別の事前符号化ベクトルは、別の仮想アンテナによる送信用の別の信号に適用されうる。
【００１１】
関連する態様によれば、本明細書では、無線通信環境において、アンテナ仮想化を実現することを容易にする方法が記載される。この方法は、物理的な送信アンテナのセットを、物理的な送信アンテナの複数のグループへ分割することを含みうる。さらに、この方法は、物理的な送信アンテナの複数のグループから、物理的な送信アンテナの特定のグループのための事前符号化ベクトルを定式化することを含みうる。物理的な送信アンテナの特定のグループは、特定の仮想アンテナを形成する。さらに、この方法は、特定の仮想アンテナによる送信用の信号に、事前符号化ベクトルを適用することを備えうる。
【００１２】
別の態様は、無線通信装置に関する。この無線通信装置は、物理的な送信アンテナのセットを、物理的な送信アンテナの複数のグループに分割することと、特定の仮想アンテナを形成する物理的な送信アンテナの特定のグループのための事前符号化ベクトルを、物理的な送信アンテナの複数のグループから生成することと、特定の仮想アンテナによる送信用の信号に事前符号化ベクトルを適用することと、に関連する命令群を保持するメモリを含みうる。さらに、この無線通信装置は、メモリに接続され、メモリに保持された命令群を実行するように構成されたプロセッサを含みうる。
【００１３】
さらに別の態様は、無線通信環境において、アンテナ仮想化を有効にすることを可能にする無線通信装置に関する。この無線通信装置は、物理的な送信アンテナのセットを、物理的な送信アンテナの複数のグループへ分割する手段を含みうる。ここで、グループのおのおのは、それぞれの仮想アンテナに対応する。さらに、この無線通信装置は、物理的な送信アンテナの複数のグループのため、それぞれの事前符号化ベクトルを生成する手段を備えうる。さらに、この無線通信装置は、それぞれの事前符号化ベクトルを用いて、送信用の信号に、事前符号化を実施する手段を含みうる。
【００１４】
さらに別の態様は、コンピュータ読取可能媒体を備えるコンピュータ・プログラム製品に関する。このコンピュータ読取可能媒体は、物理的な送信アンテナのセットを、物理的な送信アンテナの複数のグループへ分割するためのコードを含みうる。ここで、グループのおのおのは、それぞれの仮想アンテナに対応する。さらに、このコンピュータ読取可能媒体は、物理的な送信アンテナの複数のグループのため、それぞれの事前符号化ベクトルを生成するためのコードを備えうる。さらに、このコンピュータ読取可能媒体は、それぞれの事前符号化ベクトルを用いて、送信用の信号に事前符号化を実施するためのコードを含みうる。
【００１５】
別の態様によれば、無線通信装置は、プロセッサを含みうる。ここで、プロセッサは、物理的な送信アンテナのセットを、物理的な送信アンテナの複数のグループへ分割するように構成されうる。さらに、プロセッサは、特定の仮想アンテナを形成する物理的な送信アンテナの特定のグループのための事前符号化ベクトルを、物理的な送信アンテナの複数のグループから生成するように構成されうる。さらに、プロセッサは、特定の仮想アンテナによる送信用の信号に、事前符号化ベクトルを適用するように構成されうる。
【００１６】
前述した目的および関連する目的を達成するために、１または複数の実施形態は、後に完全に説明され、特許請求の範囲において特に指摘された特徴を備える。本明細書に記述された以下の説明および添付図面は、１または複数の実施形態のある実例となる態様を詳述する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００１７】
【図１】図１は、本明細書に記載されたさまざまな態様にしたがう無線通信システムの実例である。
【図２】図２は、無線通信環境において、アンテナ仮想化を適用するシステムの例示である。
【図３】図３は、無線通信環境において、仮想アンテナに対応する事前符号化ベクトルを定式化するシステムの例示である。
【図４】図４は、無線通信環境におけるＵＥにおいてアンテナ仮想化を実行するシステムの例示である。
【図５】図５は、無線通信環境における基地局においてアンテナ仮想化を実行するシステムの例示である。
【図６】図６は、無線通信環境において信号を送信するために、仮想アンテナ・ポートを適用するシステムの例示である。
【図７】図７は、無線通信環境においてアンテナ仮想化を実現することを容易にする方法の例示である。
【図８】図８は、無線通信環境においてアンテナ仮想化を導入することにより、レガシー互換設計を考慮することを容易にする方法の例示である。
【図９】図９は、無線通信システムおいてアンテナ仮想化を適用するＵＥの例示である。
【図１０】図１０は、無線通信環境において仮想アンテナを確立し利用するシステムの例示である。
【図１１】図１１は、本明細書に記載されたさまざまなシステムおよび方法と共に適用されうる無線ネットワーク環境の例の図示である。
【図１２】図１２は、無線通信環境においてアンテナ仮想化を有効にすることを可能にするシステムの例示である。
【発明を実施するための形態】
【００１８】
さまざまな実施形態が、全体を通じて同一要素を示すために同一の参照番号が使用される図面を参照して説明される。次の記載では、説明の目的のために、多数の特定の詳細が、１または複数の実施形態についての完全な理解を提供するために記載される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００１９】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２０】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。それに加えて、ＣＤＭＡ２０００およびＵＭＢは、「第３世代パートナシップ計画２」（３ＧＰＰ２）と命名された機構からのドキュメントに記述されている。さらに、そのような無線通信システムは、アンペア（ｕｎｐａｉｒｅｄ）な無許可のスペクトルをしばしば用いるピア・トゥ・ピア（例えば、モバイル・トゥ・モバイル）アド・ホック・ネットワーク・システム、８０２．ｘｘ無線ＬＡＮ、Ｂｌｕｅｔｏｏｔｈ（登録商標）、および、その他任意の短距離または長距離の無線通信技術を含みうる。
【００２１】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、送信電力効率の観点から、より低いＰＡＰＲがより利点を持つアップリンク通信において使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２２】
さらに、本明細書では、さまざまな実施形態が、ユーザ機器（ＵＥ）に関連して記載される。ＵＥはまた、システム、加入者ユニット、加入者局、移動局、モバイル、遠隔局、遠隔端末、モバイル・デバイス、ユーザ端末、端末、無線通信デバイス、ユーザ・エージェント、ユーザ・デバイス、あるいはアクセス端末と称されうる。ＵＥは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな実施形態が、基地局に関連して記載される。基地局は、ＵＥ（単数または複数）と通信するために利用することができ、アクセス・ポイント、ノードＢ、イボルブド・ノードＢ（ｅＮｏｄｅＢ、ｅＮＢ）、あるいはその他いくつかの用語で称されうる。
【００２３】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する。あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２４】
本明細書に記載されたさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２５】
図１を参照して、システム１００が、本明細書に示されたさまざまな実施形態にしたがって例示される。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００２６】
基地局１０２は、例えばＵＥ１１６およびＵＥ１２２のような１または複数のユーザ機器（ＵＥ）と通信しうる。しかしながら、基地局１０２は、ＵＥ１１６およびＵＥ１２２に類似した実質的に任意の数のＵＥと通信しうることが認識されるべきである。ＵＥ１１６およびＵＥ１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、システム１００によって通信するためのその他任意の適切なデバイスでありうる。図示するように、ＵＥ１１６は、アンテナ１１２、１１４と通信している。ここで、アンテナ１１２、１１４は、順方向リンク１１８でＵＥ１１６に情報を送信し、逆方向リンク１２０でＵＥ１１６から情報を受信する。さらに、ＵＥ１２２は、アンテナ１０４、１０６と通信している。ここで、アンテナ１０４、１０６は、順方向リンク１２４でＵＥ１２２に情報を送信し、逆方向リンク１２６でＵＥ１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２７】
通信するように指定された領域および／またはアンテナのおのおののグループは、基地局１０２のセクタと称されうる。例えば、アンテナ・グループは、基地局１０２によってカバーされた領域のセクタ内のＵＥへ通信するように設計されうる。順方向リンク１１８、１２４による通信では、基地局１０２の送信アンテナは、ＵＥ１１６、１２２のための順方向リンク１１８、１２４の信号対雑音比を改善するために、ビームフォーミングを利用しうる。さらに、基地局１０２は、関連付けられた有効通信範囲にわたってランダムに分散したＵＥ１１６、１１２へ送信するためにビームフォーミングを利用している間、近隣セル内のＵＥは、すべてのＵＥに対して単一のアンテナによって送信している基地局と比べて、少ない干渉しか被らない。
【００２８】
例によれば、ＵＥ（例えば、ＵＥ１１６、ＵＥ１２２等）は、複数の物理的な送信アンテナを含みうる。従来のＵＥは、しばしば、１つの物理的な送信アンテナしか含んでいない。したがって、このような一般的なＵＥは、一般に、１つの物理的な送信アンテナで信号を送信する。対照的に、ＵＥ１１６および／またはＵＥ１２２は、（例えば、２、４、あるいは１よりも大きな任意の整数である）複数の物理的な送信アンテナを含みうる。例えば、ＵＥ１１６および／またはＵＥ１２２は、複数の物理的な送信アンテナを含むロング・ターム・イボリューション−アドバンスト（ＬＴＥ−Ａ）ＵＥでありうる。
【００２９】
ＵＥ１１６および／またはＵＥ１２２は、事前符号化を実施することにより、仮想アンテナを生成しうる。事前符号化を適用することによって仮想アンテナを確立することにより、仮想アンテナ（単数または複数）による送信をしながら、複数の物理的な送信アンテナに関連付けられた電力増幅器（ＰＡ）を効率的に利用することを可能にしうる。例示によれば、ＵＥ（例えば、ＵＥ１１６、ＵＥ１２２等）は、２つの物理的な送信アンテナを含みうる。これらのおのおのは、それぞれのＰＡに関連付けられうる。仮想アンテナが確立されず、ＵＥが、２つの物理的な送信アンテナのうちの１つによって送信する１つの信号しか持っていない場合、２つのＰＡのうちの１つが利用され、他方のＰＡが利用されないままであるので、ＵＥのリソースは、非効率的にしか利用されない。代わりに、ＵＥは、２つの物理的な送信アンテナを、１つの仮想アンテナとなるように仮想化しうる。さらに、ＵＥは、１つの仮想アンテナによって１つの信号を送信しうる。これは、関連付けられた２つのＰＡを用いて、２つの物理的な送信アンテナによって送信される信号となる。したがって、ＵＥのリソースは、仮想アンテナ（単数または複数）を導入していない従来技術と比較して、より効率的に利用されうる。さらに、仮想アンテナを形成する２つの物理的な送信アンテナは、オフサイトの観点から（例えば、ＵＥから信号を受信した基地局１０２の観点から）、１つのアンテナであるように見える。しかしながら、権利主張される主題は、前述の示に限定されないことが認識されるべきである。
【００３０】
別の例によれば、基地局１０２は、複数の物理的な送信アンテナを含みうる。基地局１０２の物理的な送信アンテナの数は、ＵＥ１１６および／またはＵＥ１２２（例えば、レガシーＵＥ（単数または複数）、ＬＴＥ−Ａ  ＵＥ（単数または複数）等）に通知されたアンテナの数よりも多くなりうる。したがって、基地局１０２は、複数の物理的な送信アンテナに関連付けられたＰＡのフル電力利用から利益を得るために、および、レガシー互換設計を考慮するために、アンテナ仮想化を実現しうる。
【００３１】
本明細書に記載されたように、無線通信装置（例えば、基地局、ＵＥ１１６、ＵＥ１２２等）は、複数の物理的な送信アンテナから、仮想アンテナを確立しうる。さらに、アンテナ仮想化は、受信無線通信装置（例えばＵＥ１１６、ＵＥ１２２、基地局１０２等）に対して透過的でありうる。したがって、受信無線通信装置は、無線通信装置によって有効とされたアンテナ仮想化、無線通信装置によって実行された事前符号化等に気付かない。例えば、基地局１０２による仮想アンテナの形成は、ＵＥ１１６および／またはＵＥ１２２に対して透過的でありうる。同様に、例えば、ＵＥ（例えば、ＵＥ１１６、ＵＥ１２２等）による仮想アンテナの確立は、基地局１０２に対して透過的でありうる。
【００３２】
別の例によれば、アンテナ仮想化は、非透過的でありうる。したがって、仮想アンテナ（単数または複数）を形成する無線通信装置は、受信無線通信装置に対して、アンテナ仮想化が適用されていることを示したり、利用される事前符号化を明示すること等をしうる。それに加えて、あるいは、代替例として、受信無線通信装置は、（例えば、シグナリング等によって）仮想化の詳細を制御しうる。したがって、仮想アンテナ（単数または複数）を形成する無線通信装置によって実施される仮想化の詳細を認識しうる。
【００３３】
図２に移って、無線通信環境において、アンテナ仮想化を適用するシステム２００が例示されている。システム２００は、情報、信号、データ、命令群、コマンド、ビット、信号等を（例えば、アップリンクやダウンリンクのような）チャネルを介して（図示しない）受信無線通信装置へ送信する無線通信装置２０２を含む。無線通信装置２０２は、例えば、基地局（例えば、図１の基地局１０２）、ＵＥ（例えば、図１のＵＥ１１６、図１のＵＥ１２２）等でありうる。さらに、受信無線通信装置は、例えば、ＵＥ（例えば、図１のＵＥ１１６、図１のＵＥ１２２）、基地局（例えば、図１の基地局１０２）等でありうる。
【００３４】
無線通信装置２０２はさらに、アンテナ仮想化構成要素２０４および複数の物理的な送信アンテナを含みうる。無線通信装置２０２は、Ｔ個の物理的な送信アンテナ（例えば、物理的な送信アンテナ１  ２０６、・・・物理的な送信アンテナＴ  ２０８）を含みうる。ここで、Ｔは、１より多い実質的に任意の整数でありうる。物理的な送信アンテナ１  ２０６、・・・物理的な送信アンテナＴ  ２０８を含むＴ個の物理的な送信アンテナは、以下、物理的な送信アンテナ２０６−２０８と称される。さらに、アンテナ仮想化構成要素２０４は、複数の仮想アンテナをサポートしうる。例えば、アンテナ仮想化構成要素２０４によって提供される仮想アンテナの数は、物理的な送信アンテナ２０６−２０８の数以下でありうる（例えば、仮想アンテナの数は、Ｔ以下の整数である）。
【００３５】
アンテナ仮想化構成要素２０４は、物理的な送信アンテナ２０６−２０８を効率的に利用するために、物理的な送信アンテナ２０６−２０８にそれぞれ関連付けられたＰＡのみならず、事前符号化を実施しうる。例えば、アンテナ仮想化構成要素２０４は、サポートされている仮想アンテナのために、対応する事前符号化ベクトルを適用する。したがって、２つの仮想アンテナが形成される場合、アンテナ仮想化構成要素２０４は、２つの事前符号化ベクトルを利用しうる。ここで、仮想アンテナのおのおのは、事前符号化ベクトルのうちのそれぞれ１つに関連付けられる。しかしながら、権利主張される主題は、それに限定されないことが認識されるべきである。事前符号化ベクトルは、複数の物理的な送信アンテナ２０６−２０８（例えば、物理的な送信アンテナ２０６−２０８のセット、物理的な送信アンテナ２０６−２０８のセットからのサブセット）から、仮想アンテナを定式化するために使用されうる。
【００３６】
例によれば、無線通信装置２０２は、２つの物理的な送信アンテナ（例えば、物理的な送信アンテナ１  ２０６と、物理的な送信アンテナＴ  ２０８）を含みうる。さらに、アンテナ仮想化構成要素２０４は、２つの物理的な送信アンテナから形成された１つの仮想アンテナをサポートすることができ、もって、１つの事前符号化ベクトルを適用しうる。例えば、仮想アンテナのための事前符号化ベクトルは、［α  β］のような２×１ベクトルでありうる。この例によれば、仮想アンテナによって送信されるべき信号Ｘは、アンテナ仮想化構成要素２０４によって受信されうる。アンテナ仮想化構成要素２０４は、信号Ｘに、事前符号化ベクトルを適用しうる。したがって、アンテナ仮想化構成要素２０４は、信号Ｘをα倍し、第１の物理的な送信アンテナ（例えば、物理的な送信アンテナ１  ２０６）によって送信されるべき第１の出力信号を生成する。さらに、アンテナ仮想化構成要素２０４は、信号Ｘをβ倍し、第２の物理的な送信アンテナ（例えば、物理的な送信アンテナＴ  ２０８）によって送信されるべき第２の出力信号を生成する。受信機側では、受信無線通信装置（図示せず）は、（例えば、受信無線通信装置が、１つの受信アンテナしか持っていない場合、）チャネル合成後に、１つの送信アンテナを効率的に見ることができる。しかしながら、権利主張される主題は、前述した例に限定されないと考えらえる。
【００３７】
図３を参照して、無線通信環境において、仮想アンテナに対応する事前符号化ベクトルを定式化するシステム３００が例示される。システム３００は、チャネル（例えば、アップリンク、ダウンリンク）を介して信号（単数または複数）を送信しうる無線通信装置２０２を含む。無線通信装置２０２は、アンテナ仮想化構成要素２０４および複数の物理送信アンテナ（例えば、物理送信アンテナ１  ２０６、・・・物理送信アンテナＴ  ２０８）を含みうる。
【００３８】
無線通信装置２０２はさらに、仮想アンテナのための事前符号化ベクトルを定式化する事前符号化ベクトル生成構成要素３０２を含みうる。例えば、事前符号化ベクトル生成構成要素３０２は、Ｔ個の物理的な送信アンテナ２０６−２０８から、形成されるべき仮想アンテナの数を選択しうる。さらに、事前符号化ベクトル生成構成要素３０２は、形成されるべき各仮想アンテナそれぞれのための事前符号化ベクトルを生成しうる。
【００３９】
無線通信装置２０２がＵＥである例示によれば、形成されるべき仮想アンテナの数と、おのおのの仮想アンテナのための事前符号化ベクトルとを含む仮想化の詳細が、ＵＥ自身によって、事前符号化ベクトル生成構成要素３０２によって開始されうる。それに加えて、あるいは、代替案として、このような仮想化の詳細は、基地局によって準静的にシグナルされ、ＵＥ（例えば、無線通信装置２０２）によって受信されうる。したがって、事前符号化ベクトル生成構成要素３０２（および／または、アンテナ仮想化構成要素２０４）は、形成されるべき仮想アンテナの数、および／または、おのおのの仮想アンテナのための事前符号化ベクトルを指定する受信信号を収集しうる。
【００４０】
別の例示によれば、無線通信装置２０２は、基地局でありうる。したがって、この基地局は、形成されるべき仮想アンテナの数と、おのおのの仮想アンテナの事前符号化ベクトルとを含む仮想化の詳細を生成するために、事前符号化ベクトル生成構成要素３０２を適用しうる。
【００４１】
図示していないが、事前符号化ベクトル生成構成要素３０２によって生成、収集等された事前符号化ベクトル（単数または複数）は、無線通信装置２０２のメモリに保持されうる。さらに、事前符号化ベクトル（単数または複数）は、本明細書に記載されたような事前符号化を実施する場合、アンテナ仮想化構成要素２０４によって取得されうる。メモリは、送信されるべきデータ、受信されたデータ、および、本明細書に記載されたさまざまな動作および機能を実行することに関連するその他任意の適切な情報を格納しうる。本明細書に記載されたデータ・ストア（例えば、メモリ）は、揮発性メモリまたは不揮発性メモリの何れかであるか、あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリは、限定される訳ではないが、これらのタイプやその他の任意のタイプのメモリを備えることが意図されている。
【００４２】
図４に移って、無線通信環境におけるＵＥにおいて、アンテナ仮想化を実行するシステム４００が例示されている。システム４００は、ＵＥ４０２（例えば、図２の無線通信装置２０２）および基地局４０４（例えば、受信無線通信装置）を含む。ＵＥ４０２は、情報、信号、データ、命令群、コマンド、ビット、シンボル等を送信および／または受信しうる。ＵＥ４０２は、順方向リンクおよび／または逆方法リンクによって基地局４０４と通信しうる。基地局４０４は、情報、信号、データ、命令、コマンド、ビット、シンボル等を送信および／または受信しうる。さらに、図示していないが、ＵＥ４０２に類似した任意の数のＵＥがシステム４００に含まれ、および／または、基地局４０４に類似した任意の数の基地局がシステム４００に含まれうることが考慮される。
【００４３】
ＵＥ４０２は、複数の物理的な送信アンテナ（例えば、物理的な送信アンテナ１  ２０６、および物理的な送信アンテナＴ  ２０８）を含む。さらに、ＵＥ４０２は、事前符号化ベクトル生成構成要素３０２およびアンテナ仮想化構成要素２０４を含みうる。例によれば、事前符号化ベクトル（単数または複数）を生成することによって、事前符号化ベクトル生成構成要素３０２によって仮想アンテナ（単数または複数）が生成されうる。例えば、事前符号化ベクトル生成構成要素３０２によってＬ個の事前符号化ベクトル（例えば、事前符号化ベクトル１・・・、および事前符号化ベクトルＬ）が確立されうる。ここでＬは、Ｔ（Ｔは、物理的な送信アンテナ２０６−２０８の数）以下の実質的に任意の整数でありうる。図示しないが、事前符号化ベクトル生成構成要素３０２によって、１つの事前符号化ベクトルが生成されうることが考慮される。事前符号化ベクトル生成構成要素３０２によって提供される事前符号化ベクトル（単数または複数）は、仮想アンテナ（単数または複数）による送信の間、ＰＡを効率的に利用することを可能にしうる。
【００４４】
例によれば、形成されるべき仮想アンテナの数と、おのおのの仮想アンテナの事前符号化ベクトルとを含む仮想化の詳細は、事前符号化ベクトル生成構成要素３０２を適用することによってＵＥ４０２自身によって開始される。それに加えて、あるいは、代替案として、このような仮想化の詳細は、基地局４０４によって、ＵＥ４０２へ準静的にシグナルされる。したがって、事前符号化ベクトル生成構成要素３０２（および／またはアンテナ仮想化構成要素２０４）は、形成されるべき仮想アンテナの数、および／または、おのおのの仮想アンテナの事前符号化ベクトルを指定する受信信号を収集しうる。
【００４５】
さらなる例によれば、仮想アンテナ（単数または複数）を形成するための事前符号化の詳細は、基地局４０４に対して透過的でありうる。したがって、ＵＥ４０２は、このような仮想化が有効とされていることを基地局４０４に示すことなく事前符号化を実行することによって、仮想アンテナ（単数または複数）を適用しうる。しかしながら、ＵＥ４０２によって実行されるアンテナ仮想化は、基地局４０４に対して非透過的でありうるので、基地局４０４は、ＵＥ４０２によって実行されるアンテナ仮想化を知っていることも考慮される。
【００４６】
ＵＥ４０２は、アップリンクによって基地局４０４へ情報、信号、データ、命令群、コマンド、ビット、シンボル等を送信しうる。アップリンク波形は、ディスクリート・フーリエ変換（ＤＦＴ）−事前符号化ＯＦＤＭ波形（例えば、単一キャリアＦＤＭ（ＳＣ−ＦＤＭ）波形）でありうる。単一キャリア波形は、マルチ・キャリア波形に比べて低いピーク対平均電力比を有しており、これによって、ＰＡの効率がより高くなる。したがって、事前符号化ベクトル生成構成要素３０２は、仮想アンテナ（単数または複数）を形成している間、物理的な送信アンテナ２０６−２０８において、できる限り、マルチ・キャリア波形を生成する機会を低減することを試みうる。したがって、事前符号化ベクトル生成構成要素３０２は、アンテナ選択ベースの事前符号化ベクトル（単数または複数）を生成するために、本明細書に記載されたようなさまざまな規則を採用しうる。
【００４７】
事前符号化ベクトル生成構成要素３０２は、以下のようにして、物理的な送信アンテナ２０６−２０８からグループ（単数または複数）を形成しうる。ここで、グループは、特定の仮想アンテナに対応する。事前符号化ベクトル生成構成要素３０２は、Ｔ個の物理的な送信アンテナ２０６−２０８から、Ｌ個の仮想アンテナを形成するものと仮定されたい。したがって、事前符号化ベクトル生成構成要素３０２は、Ｔ個の物理的な送信アンテナ２０６−２０８を、Ｌ個のグループへ分割しうる。グループｉは、仮想アンテナｉを形成するために使用されるＴ個の物理的な送信アンテナ２０６−２０８（例えば、Ｔ個の物理的な送信アンテナ２０６−２０８のサブセット）から、物理的な送信アンテナ（単数または複数）を決定する。ここで、ｉはインデクスであり、ｉ＝０，１，・・・，Ｌ−１である。
【００４８】
さらに、事前符号化ベクトル生成構成要素３０２は、グループ（単数または複数）のために事前符号化ベクトルを定式化しうる。事前符号化ベクトル生成構成要素３０２は、特定のグループにしたがって事前符号化ベクトルを生成しうる。ここで、事前符号化ベクトルは、特定の仮想アンテナの生成に参加する特定のグループにおける物理的な送信アンテナに対応する非ゼロ入力を持つ単位ノルムＴ×１ベクトルである。
【００４９】
例にしたがって、２つの仮想アンテナ（例えばＬ＝２，・・・）が、４つの物理的な送信アンテナ２０６−２０８（例えば、Ｔ＝４，・・・）から形成されるものと仮定されたい。２つの仮想アンテナは、仮想アンテナ１と仮想アンテナ２とを含み、４つの物理的な送信アンテナは、物理的な送信アンテナ１、物理的な送信アンテナ２、物理的な送信アンテナ３、および物理的な送信アンテナ４を含みうる。この例によれば、事前符号化ベクトル生成構成要素３０２によって形成されうるグループの例は、｛｛３，４｝｛１，２｝｝でありうる。ここで、仮想アンテナ１に対応する第１のグループは、物理的な送信アンテナ３および物理的な送信アンテナ４を含み、仮想アンテナ２に対応する第２のグループは、物理的な送信アンテナ１および物理的な送信アンテナ２を含む。さらに、事前符号化ベクトル生成構成要素３０２は、例えば［０  ０  ｅｊＤ１  ｅｊＤ２］／ｓｑｒｔ（２）のような仮想アンテナ１のための第１の事前符号化ベクトル（例えば、事前符号化ベクトル１）と、例えば［ｅｊＤ３  ｅｊＤ４  ０  ０］／ｓｑｒｔ（２）のような仮想アンテナ２のための第２の事前符号化ベクトル（例えば、事前符号化ベクトル２）とを定式化しうる。ここで、フェーズ値は、異なる周波数トーン（例えば、リソース）ついて異なっているか、および／または、時間とともに変化しうる。しかしながら、権利主張される主題は、前述の例に限定されないことが認識されるべきである。
【００５０】
他の例によれば、２つの仮想アンテナ（例えば、Ｌ＝２）が、４つの物理的な送信アンテナ２０６−２０８（例えば、Ｔ＝４）から形成されうる。繰り返すが、２つの仮想アンテナは、仮想アンテナ１および仮想アンテナ２を含み、４つの物理的な送信アンテナは、物理的な送信アンテナ１、物理的な送信アンテナ２、物理的な送信アンテナ３、および物理的な送信アンテナ４を含みうる。例えば、事前符号化ベクトル生成構成要素３０２は、おのおのＴ×１（例えば、４×１）のサイズを持つ２つの事前符号化ベクトルを生成しうる。事前符号化ベクトル生成構成要素３０２によって定式化された仮想アンテナ１のための事前符号化ベクトル１は、［α  β  γ  δ］であり得る。そして、事前符号化ベクトル生成構成要素３０２によって定式化された仮想アンテナ２のための事前符号化ベクトル２は、［ａ  ｂ  ｃ  ｄ］であり得る。さらに、第１の信号Ｘが、事前符号化ベクトル１［α  β  γ  δ］を用いる仮想アンテナ１によって送信されうる。一方、第２の信号Ｙが、事前符号化ベクトル２［ａ  ｂ  ｃ  ｄ］を用いる仮想アンテナ１によって同時に送信されうる。したがって、アンテナ仮想化構成要素２０４は、第１の信号Ｘおよび第２の信号Ｙについて事前符号化を実施し、事前符号化ベクトル１および事前符号化ベクトル２を利用する。したがって、Ｘのα倍にＹのａ倍を加えたものが、物理的な送信アンテナ１によって送信され、Ｘのβ倍にＹのｂ倍を加えたものが、物理的な送信アンテナ２によって送信され、Ｘのγ倍にＹのｃ倍を加えたものが、物理的なアンテナ３によって送信され、Ｘのδ倍にＹのｄ倍を加えたものが、物理的なアンテナ４によって送信されうる。ＵＥ４０２によってアップリンクで基地局４０４へ送信されたＤＦＴ事前符号化ＯＦＤＭ波形の単一キャリア特性を維持するために、αまたはａはゼロであり、βまたはｂはゼロであり、γまたはｃはゼロであり、δまたはｄはゼロである。したがって、１つの物理的な送信アンテナによる複数の信号の送信が回避されるように、おのおのの物理的な送信アンテナ２０６−２０８が、１つの仮想アンテナ（例えば、前述した例における仮想アンテナ１または仮想アンテナ２）のために使用されうる。したがって、おのおのの物理的な送信アンテナ２０６−２０８は、異なる信号が、異なる仮想アンテナを介して同時に送信されるかに関わらず、単一キャリア波形を送信しうる。しかしながら、権利主張される主題は、前述の例に限定されないことが認識されるべきである。
【００５１】
事前符号化ベクトル生成構成要素３０２によって、形成されている仮想アンテナは、物理的な送信アンテナ２０６−２０８のサブセットを占有できるようになりうる。すべての物理的な送信アンテナ（単数または複数）によって、仮想アンテナのために形成された事前符号化ベクトル内の物理的な送信アンテナ（単数または複数）のサブセットに対応する位置（単数または複数）に、非ゼロ値（単数または複数）が含まれうる。さらに、サブセットに含まれていない物理的な送信アンテナ（単数または複数）について、仮想アンテナのために形成された事前符号化ベクトル内の対応する位置（単数または複数）において、０の値（単数または複数）が含まれうる。
【００５２】
さらに、仮想アンテナが形成された後、データ、基準信号、および制御の観点から、仮想アンテナは物理的な送信アンテナであると考えられる。例えば、ＵＥ４０２が４つの物理的な送信アンテナ２０６−２０８を有する場合、事前符号化ベクトル生成構成要素３０２は、４つの物理的な送信アンテナ２０６−２０８を、２つの仮想アンテナへ仮想化しうる。この仮想化を有効にした後、ＵＥ４０２は、実際に４つの物理的な送信アンテナ２０６−２０８を有していても、２つの送信アンテナ（例えば、２つの仮想アンテナ）を有するものとして取り扱われうる。さらに、基地局４０４は、ＵＥ４０２を、２つの送信アンテナ（例えば、２つの仮想アンテナ）を有するものとして認識し、ＵＥ４０２の２つの送信アンテナから、異なる基準信号、制御、データ等が受信されうる。
【００５３】
図５に示すように、無線通信環境における基地局においてアンテナ仮想化を実行するシステム５００が例示される。システム５００は、基地局５０２（例えば、図２の無線通信装置２０２、図４の基地局４０４）およびＵＥ５０４（例えば、図４の受信無線通信装置４０２）を含む。基地局５０２は、情報、信号、データ、命令、コマンド、ビット、シンボル等を送信および／または受信しうる。基地局５０２は、順方向リンクおよび／または逆方向リンクによってＵＥ５０４と通信しうる。ＵＥ５０４は、情報、信号、データ、命令群、コマンド、ビット、シンボル等を送信および／または受信しうる。さらに、図示しないが、基地局５０２に類似した任意の数の基地局が、システム５００に含まれるか、および／または、ＵＥ５０４に類似した任意の数のＵＥが、システム５００に含まれうることが考慮される。
【００５４】
基地局５０２は、複数の物理的な送信アンテナ（例えば、物理的な送信アンテナ１  ２０６、・・・および物理的な送信アンテナＴ  ２０８）を含む。さらに、基地局５０２は、事前符号化ベクトル生成構成要素３０２およびアンテナ仮想化構成要素２０４を含みうる。例によれば、仮想アンテナ（単数または複数）は、事前符号化ベクトル（単数または複数）を生成することによって、事前符号化ベクトル生成構成要素３０２によって生成されうる。例えば、Ｌ個の事前符号化ベクトル（例えば、事前符号化ベクトル１、・・・、および事前符号化ベクトルＬ）が、事前符号化ベクトル生成構成要素３２０によって確立されうる。ここでＬは、Ｔ以下の実質的に任意の整数である（例えば、Ｔは、物理的な送信アンテナ２０６−２０８の数である）。図示していないが、１つの事前符号化ベクトルが、事前符号化ベクトル生成構成要素３０２によって生成されうることが考慮される。事前符号化ベクトル生成構成要素３０２によって提供される事前符号化ベクトル（単数または複数）は、仮想アンテナ（単数または複数）による送信中、ＰＡを効率的に利用することを可能にしうる。これによって、基地局５０２は、ＰＡのフル電力利用から利益を得ることができる。
【００５５】
さらに、基地局５０２は、アンテナの数をＵＥ５０４へ示す通知構成要素５０６を含みうる。例えば、示されたアンテナの数は、事前符号化ベクトル生成構成要素３０２によって形成された、および／または、アンテナ仮想化構成要素２０４によって利用された、仮想アンテナの数でありうる。基地局５０２に含まれた物理的な送信アンテナ２０６−２０８の数は、通知構成要素５０６によってＵＥ５０４（例えば、レガシーＵＥ、ＬＴＥ−Ａ  ＵＥ等）へ通知されたアンテナの数よりも多くなり得る。例えば、ＬＴＥリリース８では、ダウンリンク物理送信アンテナの最大数は、４でありうる一方、ＬＴＥ−Ａでは、ダウンリンク物理送信アンテナの最大数は８でありうる。したがって、ＵＥ５０４が、基地局５０２が８つの物理的な送信アンテナ２０６−２０８を含む（例えば、Ｔ＝８）ＬＴＥ−Ａネットワークで動作するレガシーＵＥ（例えば、ＬＴＥリリース８  ＵＥ）である場合、通知構成要素５０６は、基地局５０２が４つの送信アンテナ（または、４未満の送信アンテナ）を含むことをＵＥ５０４に対してシグナルしうる。したがって、アンテナ仮想化は、レガシー互換設計のために提供することによって、レガシーＵＥをサポートしうる。しかしながら、権利主張される主題は、前述された例示に限定されないことが認識されるべきである。
【００５６】
さらに、レガシーＵＥ（単数または複数）および非レガシーＵＥ（単数または複数）（例えば、ＬＴＥ−Ａ  ＵＥ（単数または複数））は、共存し、共通のネットワークで動作しうる。アンテナ仮想化は、（例えば、レガシーＵＥ（単数または複数）のために基地局５０２の８つの物理的な送信アンテナ２０６−２０８から、４以下の仮想アンテナを形成する）レガシーＵＥ（単数または複数）のために適用されうる。例によれば、アンテナ仮想化は、（例えば、非レガシーＵＥ（単数または複数）のために基地局５０２の８つの物理的な送信アンテナ２０６−２０８から、４以下の仮想アンテナを形成する）非レガシーＵＥ（単数または複数）のために適用されうる。別の例によれば、アンテナ仮想化は、非レガシーＵＥ（単数または複数）のために適用される必要はなく、レガシーＵＥ（単数または複数）のために利用される。したがって、通知構成要素５０６は、事前符号化ベクトル生成構成要素３０２によって定式化され、アンテナ仮想化構成要素２０４によって実施される仮想アンテナの数または基地局５０２の物理的な送信アンテナ２０６−２０８の数を、非レガシーＵＥ（例えば、ＵＥ５０４）へ示しうる。上記の例によれば、基地局５０２が、８つの物理的な送信アンテナ２０６−２０８ではなく、４つ（または４未満の）送信アンテナ（例えば、４以下の仮想アンテナ）を含んでいることを、通知構成要素５０６がレガシーＵＥへシグナルする場合、通知構成要素５０６はさらに、基地局５０２が、４つ（または４未満の）送信アンテナ（例えば、４以下の仮想アンテナ）または８つの送信アンテナ（例えば、８つの物理的な送信アンテナ２０６−２０８）を含んでいることを、非レガシーＵＥへシグナルしうる。
【００５７】
さらに、ダウンリンク・シナリオの場合、仮想化はＵＥ５０４に対して透過的でありうる。したがって、ＵＥ５０４は、例えば、仮想化が有効にされたこと、適用されている事前符号化ベクトル（単数または複数）、事前符号化ベクトル（単数または複数）がどのように生成されたか等のような、基地局５０２によって適用されている仮想化の詳細を知らない。
【００５８】
ダウンリンクのために適用された波形は、ＯＦＤＭ波形でありうる。したがって、（図４に関連して記載されたような）アップリンク・アンテナ仮想化に関連して利用される制約は、システム５００で適用される必要はない。例えば、（例えば、物理的な送信アンテナ２０６−２０８から）特定の物理的な送信アンテナによって、複数の信号が同時に送信されるので、波形は、単一のキャリア波形である必要はない。しかしながら、権利主張される主題は、それに限定されないことが認識されるべきである。
【００５９】
事前符号化ベクトル生成構成要素３０２は、以下に示すように、物理的な送信アンテナ２０６−２０８を仮想化しうる。例えば、物理的な送信アンテナ２０６−２０８から仮想アンテナへのマッピングは、任意の単位ノルム事前符号化ベクトルでありうる。事前符号化ベクトル（単数または複数）は、仮想チャネルの次元が、所望の仮想アンテナ（単数または複数）の数よりも減らないように設計されうる。例えば、事前符号化ベクトル生成構成要素３０２は、物理的な送信アンテナ２０６−２０８をグループに分割しうる。ここで、おのおののグループは、１つの仮想アンテナに対応する。事前符号化ベクトル生成構成要素３０２は、おのおののグループのために事前符号化ベクトルを生成しうる。例えば、特定のグループのための事前符号化ベクトルは、仮想アンテナに参加する特定のグループにおける物理送信アンテナに対応する非ゼロ入力を持つ単位ノルム・ベクトルでありうる。別の例によれば、事前符号化ベクトル生成構成要素３０２は、固定された事前符号化ベクトル（例えば、仮想アンテナのための事前符号化ベクトルとは異なるカラムのＤＦＴ行列）を利用しうる。
【００６０】
さらに、仮想アンテナが形成された後、仮想アンテナは、データ、基準信号、および制御の観点から、物理的な送信アンテナであると考えられうる。例えば、基地局５０２が４つの物理的な送信アンテナ２０６−２０８を有している場合、事前符号化ベクトル生成構成要素３０２は、４つの物理的な送信アンテナ２０６−２０８を、２つの仮想アンテナへ仮想化しうる。仮想化を有効にした後、基地局５０２は、実際に４つの物理的な送信アンテナ２０６−２０８を有していても、２つの送信アンテナ（例えば、２つの仮想アンテナ）を有しているものとして取り扱われうる。さらに、ＵＥ５０４は、基地局５０２を、２つの送信アンテナ（例えば、２つの仮想アンテナ）を有するものとして認識し、基地局５０２の２つの送信アンテナから、異なる基準信号、制御、データ等が受信されうる。
【００６１】
図６を参照して、無線通信環境において、信号を送信するために仮想アンテナ・ポートを適用するシステム６００が例示される。システム６００は、無線通信装置２０２（例えば、図４のＵＥ４０２、図５の基地局５０２）を含む。無線通信装置２０２はさらに、アンテナ仮想化構成要素２０４および複数の物理的な送信アンテナ（例えば、物理的な送信アンテナ１  ２０６、・・・および物理的な送信アンテナＴ  ２０８）を含みうる。さらに、複数の物理的な送信アンテナ２０６−２０８から、（例えば、図３の事前符号化ベクトル生成構成要素３０２によって）Ｌ個の仮想アンテナが形成されうる。したがって、無線通信装置２０２は、Ｌ個の仮想アンテナ・ポート（例えば、仮想アンテナ・ポート１  ６０２、・・・および仮想アンテナ・ポートＬ  ６０４）を含みうる。これらは、それぞれの信号を送信するために使用されうる。
【００６２】
例示によれば、無線通信装置２０２は、４つの物理的な送信アンテナ２０６−２０８（例えばＴ＝４）を含みうる。さらに、４つの物理的な送信アンテナ２０６−２０８から、２つの仮想アンテナ（例えば、Ｌ＝２）が形成されうる。したがって、無線通信装置２０２は、２つの仮想アンテナ・ポート６０２−６０４を含みうる。さらに、第１の仮想アンテナによって送信されるべき第１の信号が、第１の仮想アンテナ・ポート（例えば、仮想アンテナ・ポート１  ６０２）へ提供され、第２の仮想アンテナによって送信されるべき第２の信号が、第２の仮想アンテナ・ポート（例えば、仮想アンテナ・ポートＬ  ６０４）へ提供されうる。アンテナ仮想化構成要素２０４は、第１の仮想アンテナ・ポートによって取得された第１の信号へ、第１の事前符号化ベクトル（例えば、事前符号化ベクトル１）を適用し、第２の仮想アンテナ・ポートによって取得された第２の信号へ、第２の事前符号化ベクトル（例えば、事前符号化ベクトルＬ）を適用しうる。したがって、前述した例によれば、４つの物理的な送信アンテナ２０６−２０８によって２つの信号が送信されうる（例えば、送信のために、無線通信装置２０２によって生成されるべき基準信号は、より少なくて済むので、これによって、オーバヘッドが低減されうる）。
【００６３】
さらに、本明細書に記載された事前符号化ベクトルは、周波数にわたって一定である必要はない。仮想化は、周波数フラット・シナリオのために追加の周波数ダイバーシティを提供する、周波数依存マッピングでありうる。おのおののグループ内の周波数依存フェーズ・オフセットまたはサイクリック遅延ダイバーシティ（ＣＤＤ）のようなスキームは、周波数依存マッピングの例である。さらに、無線通信装置２０２が、基地局（例えば、図５の基地局５０２）である場合、仮想アンテナの適切なチャネル推定を持つレガシーＵＥ（図示せず）（例えば、図５のＵＥ５０４）を提供するために、周波数依存マッピングはスムーズであり、周波数にわたって迅速に変化することはない。したがって、仮想アンテナを、物理的な送信アンテナと同様に見えるようにするために、事前符号化ベクトルは、トーンにわたって任意に変化するのではなく、トーンにわたってスムーズに変化しうる。
【００６４】
図７−８を参照して、無線通信環境においてアンテナ仮想化を適用することに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００６５】
図７を参照して、無線通信環境において、アンテナ仮想化を実施することを容易にする方法７００が例示される。７０２では、物理的な送信アンテナのセットが、物理的な送信アンテナの複数のグループへ分割されうる。例えば、物理的な送信アンテナのセットは、Ｔ個の物理的な送信アンテナを含みうる。ここで、Ｔは、実質的に任意の整数でありうる。さらに、Ｔ個の物理的な送信アンテナのセットは、Ｌ個のグロープへ分割される。ここで、Ｌは、Ｔ以下の実質的に任意の整数でありうる。
【００６６】
７０４では、物理的な送信アンテナの特定のグループのために、物理的な送信アンテナの複数のグループから、事前符号化ベクトルが定式化されうる。物理的な送信アンテナの特定のグループは、特定の仮想アンテナを形成しうる。さらに、Ｔ個の物理的な送信アンテナのセットが、Ｌ個のグループへ分割される場合、Ｌ個の事前符号化ベクトルが定式化されうる。さらに、Ｌ個の事前符号化ベクトルは、Ｌ個の仮想アンテナに対応しうる。例によれば、物理的な送信アンテナの複数のグループから、物理的な送信アンテナの別のグループのための別の事前符号化ベクトルが定式化されうる。ここで、物理的な送信アンテナの別のグループは、別の仮想アンテナを形成しうる。７０６では、事前符号化ベクトルが、特定の仮想アンテナによる送信用の信号に適用されうる。さらに、別の仮想アンテナ（単数または複数）に対応する別の事前符号化ベクトルが、別の仮想アンテナによる送信用の別の信号に適用されうる。
【００６７】
例によれば、物理的な送信アンテナのセットが、ユーザ機器（ＵＥ）に関連付けられ、信号は、アップリンクによる基地局への送信用でありうる。例えば、形成する仮想アンテナの数が（例えば、ＵＥによって）選択されうる。ここで、仮想アンテナの数は、物理的な送信アンテナのセットが分割されるグループの数でありうる。さらに、特定のグループの事前符号化ベクトル（および／または、別のグループ（単数または複数）の別の事前符号化ベクトル（単数または複数）が、（例えば、ＵＥによって）選択されうる。別の例によれば、形成する仮想アンテナの数（例えば、仮想アンテナの数が、物理的な送信アンテナのセットが分割されるグループの数でありうる場合）、または、特定のグループの事前符号化ベクトル（および／または、別のグループ（単数または複数）のための別の事前符号化ベクトル（単数または複数））のうちの少なくとも1つを明示するインジケーションが、基地局から受信されうる。さらに、アンテナ仮想化に関連する情報は、基地局に対して透過的でありうる。さらに、アップリンクによって送信された波形は、単一キャリア波形（例えば、ディスクリート・フーリエ変換（ＤＦＴ）−事前符号化直交周波数分割多重化（ＯＦＤＭ）波形）でありうる。別の例によれば、事前符号化ベクトルは、Ｔ×１のサイズからなる単位ノルム・ベクトルであり、特定の仮想アンテナを形成する特定グループにおける物理的な送信アンテナに対応する非ゼロ入力を持つ。ここで、Ｔは、セットにおける物理的な送信アンテナの数である。さらに、（例えば、特定のグループに含まれる物理的な送信アンテナに対応する、異なる仮想アンテナに関連付けられた物理的な送信アンテナに対応する）Ｔ×１の単位ノルム・ベクトルにおける入力の残りはゼロでありうる。さらに、事前符号化ベクトルにおける非ゼロ入力は、定数でありうる。さらに、事前符号化ベクトルにおける非ゼロ入力は、周波数依存および／または時間依存でありうる。
【００６８】
別の例によれば、物理的な送信アンテナのセットは、基地局に関連付けられ、信号は、ユーザ機器（ＵＥ）へのダウンリンクによる送信用でありうる。例えば、アンテナ仮想化に関連する情報は、ＵＥに透過的でありうる。例によれば、事前符号化ベクトルは、単位ノルム・ベクトルでありうる。別の例によれば、事前符号化ベクトルは、単位ノルム・ベクトルであり、特定の仮想アンテナに参加する特定のグループにおける物理的な送信アンテナに対応する非ゼロ入力を持つ。さらに別の例は、ディスクリート・フーリエ変換（ＤＦＴ）行列の特定のカラムである事前符号化ベクトルに関連する。ここでは、別の仮想アンテナ（単数または複数）のために、ＤＦＴ行列の別のカラム（単数または複数）が利用される。さらに、事前符号化ベクトルにおける非ゼロ入力は定数でありうる。さらに、事前符号化ベクトルにおける非ゼロ入力は、周波数依存および／または時間依存でありうる。
【００６９】
図８に移って、無線通信環境において、アンテナ仮想化を導入することによってレガシー互換設計を可能にすることを容易にする方法８００が例示される。８０２では、物理的な送信アンテナのセットから、仮想アンテナのセットが確立されうる。例えば、仮想アンテナのセットは、基地局によって確立されうる。さらに、基地局に関連付けられた物理的な送信アンテナのセットは、レガシー基地局によって適用されうる物理的な送信アンテナの最大数と比べて、より多くの物理的な送信アンテナを含みうる。例によれば、基地局に関連付けられた物理的な送信アンテナのセットは、８つの物理的な送信アンテナを含みうる。一方、レガシー基地局によって適用されうる物理的な送信アンテナの最大数は、４つの物理的な送信アンテナでありうる。しかしながら、権利主張される主題は、それに限定されないことが認識されるべきである。８０４では、仮想アンテナのセットにおける仮想アンテナの数が、レガシー・ユーザ機器（ＵＥ）に通知されうる。８０６では、物理的な送信アンテナのセットにおける物理的な送信アンテナの数が、非レガシーＵＥ（例えば、ロング・ターム・イボリューション−アドバンスト（ＬＴＥ−Ａ）ＵＥ）に通知されうる。したがって、仮想化は、（例えば、仮想アンテナのセット内の仮想アンテナの数を通知する場合に）レガシーＵＥのために適用されうるが、非レガシーＵＥのために適用される必要はない。しかしながら、仮想アンテナのセットにおける仮想アンテナの数が、非レガシーＵＥへ通知され、および／または、仮想化が、非レガシーＵＥのために適用されうることがさらに考慮される。
【００７０】
本明細書に記載された１または複数の態様によれば、無線通信環境においてアンテナ仮想化を実施することに関して推論がなされうることが認識されよう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００７１】
図９は、無線通信システムにおいてアンテナ仮想化を適用するＵＥ９００の例示である。ＵＥ９００は、例えば（図示しない）受信アンテナから信号を受信し、受信した信号に一般的な動作（例えば、フィルタ、増幅、ダウンコンバート等）を実行し、この調整された信号をデジタル化して、サンプルを得る受信機９０２を備える。受信機９０２は、例えばＭＭＳＥ受信機であり、受信したシンボルを復調し、それらをチャネル推定のためにプロセッサ９０６へ送る復調器９０４を備えうる。プロセッサ９０６は、受信機９０２によって受信された情報の分析、および／または、送信機９１６による送信のための情報の生成に特化されたプロセッサ、ＵＥ９００の１または複数の構成要素を制御するプロセッサ、および／または、受信機９０２によって受信された情報の分析と、送信機９１６による送信のための情報の生成と、ＵＥ９００の１または複数の構成要素の制御との両方を行うプロセッサでありうる。
【００７２】
ＵＥ９００はさらに、プロセッサ９０６に動作可能に接続されたメモリ９０８を備えうる。このメモリは、送信されるべきデータ、受信されたデータ、本明細書に記載されたさまざまな動作および機能を実行することに関連するその他任意の適切な情報を格納しうる。メモリ９０８は、例えば、複数の物理的な送信アンテナを複数のグループに分割すること、複数のグループのためにそれぞれの事前符号化ベクトルを定式化すること等に関連付けられたプロトコルおよび／またはアルゴリズムを格納しうる。さらに、メモリ９０８は、事前符号化ベクトルを保持しうる。
【００７３】
本明細書に記載されたデータ・ストア（例えば、メモリ９０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。例示によれば、限定することなく、ＲＡＭは、例えばスタティックＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、同期リンクＤＲＡＭ（ＳＬＤＲＡＭ）、およびダイレクト・ラムバスＲＡＭ（ＤＲＲＡＭ）のような多くの形式で利用可能である。主題となるシステムおよび方法のメモリ９０８は、限定される訳ではないが、これらおよびその他任意の適切なタイプのメモリを備えることが意図される。
【００７４】
プロセッサ９０６は、アンテナ仮想化構成要素９１０および／または事前符号化ベクトル生成構成要素９１２に動作可能に接続されうる。アンテナ仮想化構成要素９１０は、図２のアンテナ仮想化構成要素２０４に実質的に同一でありうる。および／または、事前符号化ベクトル生成構成要素９１２は、図３の事前符号化ベクトル生成構成要素３０２に実質的に同一でありうる。事前符号化ベクトル生成構成要素９１２は、ＵＥ９００の複数の物理的な送信アンテナ（図示せず）から形成された仮想アンテナ（単数または複数）に関連付けられた事前符号化ベクトル（単数または複数）を生成しうる。さらに、アンテナ仮想化構成要素９１０は、仮想アンテナ（単数または複数）による送信用の信号を送るために、（例えば、事前符号化ベクトル生成構成要素９１２によって生成された事前符号化ベクトル（単数または複数）を用いて）事前符号化を実施しうる。ＵＥ９００はさらに、変調器９１４と、データ、信号等を基地局へ送信する送信機９１６とを備える。プロセッサ９０６と別に図示されているが、アンテナ仮想化構成要素９１０、事前符号化ベクトル生成構成要素９１２、および／または変調器９１４は、プロセッサ９０６あるいは複数のプロセッサ（図示せず）のうちの一部でありうることが認識されるべきである。
【００７５】
図１０は、無線通信環境において仮想アンテナを確立し利用するシステム１０００の例示である。システム１０００は、複数の受信アンテナ１００６を介して１または複数のＵＥ１００４から信号（単数または複数）を受信する受信機１０１０と、複数の送信アンテナ１００８を介して１または複数のＵＥ１００４に送信する送信機１０２４とを有する基地局１００２（例えばアクセス・ポイント）を備える。受信機１０１０は、受信アンテナ１００６から情報を受信する。さらに、受信した情報を復調する復調器１０１２と動作可能に関連付けられている。復調されたシンボルは、図９に関して上述されたプロセッサに類似しうるプロセッサ１０１４によって分析される。このプロセッサは、送信されるべきデータ、あるいは、ＵＥ（単数または複数）１００４から受信したデータ、および／または、本明細書に記載されたさまざまな動作および機能を実行することに関連するその他任意の適切な情報を格納するメモリ１０１６に接続されている。プロセッサ１０１４はさらに、アンテナ仮想化構成要素１０１８および／または事前符号化ベクトル生成構成要素１０２０に接続されている。アンテナ仮想化構成要素１０１８は、図２のアンテナ仮想化構成要素２０４に実質的に同一でありうる。および／または、事前符号化ベクトル生成構成要素１０２０は、図３の事前符号化ベクトル生成構成要素３０２に実質的に同一でありうる。事前符号化ベクトル生成構成要素１０２０は、基地局１００２の複数の物理的な送信アンテナ１００８から形成された仮想アンテナ（単数または複数）に関連付けられた事前符号化ベクトルを生成しうる。さらに、アンテナ仮想化構成要素１０１８は、仮想アンテナ（単数または複数）を介した送信用の信号（単数または複数）を送るために、（例えば、事前符号化ベクトル生成構成要素１０２０によって生成された事前符号化ベクトル（単数または複数）を用いて）事前符号化を実施しうる。図示していないが、基地局１００２はさらに、図５の通知構成要素５０６に実質的に同一でありうる通知構成要素を含みうることが考慮される。基地局１００２はさらに、変調器１０２２を含みうる。変調器１０２２は、前述した記載にしたがって、送信機１０２４によるアンテナ１００８を介したＵＥ（単数または複数）１００４への送信のためのフレームを多重化しうる。プロセッサ１０１４と別に図示されているが、アンテナ仮想化構成要素１０１８、事前符号化ベクトル生成構成要素１０２０、および／または変調器１０２２は、プロセッサ１０１４あるいは複数のプロセッサ（図示せず）のうちの一部でありうることが認識されるべきである。
【００７６】
図１１は、無線通信システム１１００の例を示す。無線通信システム１１００は、簡略のために、１つの基地局１１１０と１つのＵＥ１１５０しか示していない。しかしながら、システム１１００は、複数の基地局および／または複数のＵＥを含むことができ、追加の基地局および／またはＵＥは、以下に示すような基地局１１１０およびＵＥ１１５０の例と実質的に同じでも、あるいは別のものでもありうることが認識されるべきである。それに加えて、基地局１１１０および／またはＵＥ１１５０は、この間の無線通信を容易にするために、本明細書に記載されたシステム（図１−６、９−１０、および１２）および／または方法（図７−８）を適用しうることが認識されるべきである。
【００７７】
基地局１１１０では、多くのデータ・ストリームのためのトラフィック・データが、データ・ソース１１１２から送信（ＴＸ）データ・プロセッサ１１１４へ提供される。一例によれば、おのおののデータ・ストリームが、それぞれのアンテナを介して送信される。ＴＸデータ・プロセッサ１１１４は、トラフィック・データ・ストリームをフォーマットし、このデータ・ストリームのために選択された特定の符合化スキームに基づいて符号化し、インタリーブして、符合化されたデータを提供する。
【００７８】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般に、既知の方法で処理される既知のデータ・パターンであり、ＵＥ１１５０において、チャネル応答を推定するために使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１１３０によって実行または提供される指示によって決定されうる。
【００７９】
データ・ストリームの変調シンボルは、（例えば、ＯＦＤＭのために）変調シンボルを処理するＴＸ  ＭＩＭＯプロセッサ１１２０に提供される。ＴＸ  ＭＩＭＯプロセッサ１１２０は、その後、ＮＴ個の変調シンボル・ストリームを、ＮＴ個の送信機（ＴＭＴＲ）１１２２ａ乃至１１２２ｔへ提供する。さまざまな実施形態において、ＴＸ  ＭＩＭＯプロセッサ１１２０は、データ・ストリームのシンボル、および、そのシンボルが送信されるアンテナへ、ビームフォーミング重みを適用する。
【００８０】
おのおのの送信機１１２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１１２２ａ乃至１１２２ｔからのＮＴ個の変調信号が、ＮＴ個のアンテナ１１２４ａ乃至１１２４ｔから送信される。
【００８１】
ＵＥ１１５０では、送信された調整された信号が、ＮＲ個のアンテナ１１５２ａ乃至１１５２ｒによって受信され、おのおののアンテナ１１５２からの受信信号が、それぞれの受信機（ＲＣＶＲ）１１５４ａ乃至１１５４ｒへ提供される。おのおのの受信機１１５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００８２】
ＲＸデータ・プロセッサ１１６０は、ＮＲ個の受信機１１５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１１６０は、検出されたおのおののシンボル・ストリームを復調し、デインタリーブし、復号して、そのデータ・ストリームのためのトラフィック・データを復元する。ＲＸデータ・プロセッサ１１６０による処理は、基地局１１１０におけるＴＸ  ＭＩＭＯプロセッサ１１２０およびＴＸデータ・プロセッサ１１１４によって実行されるものと相補的である。
【００８３】
プロセッサ１１７０は、上述したように、利用可能などの技術を利用するのかを定期的に決定する。さらに、プロセッサ１１７０は、行列インデクス部およびランク値部を備えた逆方向リンク・メッセージを規定することができる。
【００８４】
逆方向リンク・メッセージは、通信リンクおよび／または受信されたデータ・ストリームに関するさまざまなタイプの情報を備えうる。逆方向リンク・メッセージは、データ・ソース１１３６から多くのデータ・ストリームのトラフィック・データをも受け取るＴＸデータ・プロセッサ１１３８によって処理され、変調器１１８０によって変調され、送信機１１５４ａ乃至１１５４ｒによって調整され、基地局１１１０へと送り返される。
【００８５】
基地局１１１０では、ＵＥ１１５０からの変調信号が、アンテナ１１２４によって受信され、受信機１１２２によって調整され、復調器１１４０によって復調され、ＲＸデータ・プロセッサ１１４２によって処理されることによって、ＵＥ１１５０によって送信された逆方向リンク・メッセージが抽出される。さらに、プロセッサ１１３０は、ビームフォーミング重みを決定するためにどの事前符合化行列を使用するかを決定するために、この抽出されたメッセージを処理する。
【００８６】
プロセッサ１１３０、１１７０は、基地局１１１０およびＵＥ１１５０における動作を指示（例えば、制御、調整、管理等）しうる。プロセッサ１１３０およびプロセッサ１１７０はそれぞれ、プログラム・コードおよびデータを格納するメモリ１１３２およびメモリ１１７２に関連付けられうる。プロセッサ１１３０およびプロセッサ１１７０はまた、アップリンクおよびダウンリンクそれぞれのための周波数およびインパルス応答推定値を導出する計算をも実行する。
【００８７】
態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）を含みうる。さらに、論理制御チャネルは、ページング情報を転送するＤＬチャネルであるページング制御チャネル（ＰＣＣＨ）を含みうる。さらに、論理制御チャネルは、１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）を備えうる。一般に、ラジオ・リソース制御（ＲＲＣ）接続を確立した後、このチャネルは、ＭＢＭＳ（例えば、旧ＭＣＣＨ＋ＭＳＣＨ）を受信するＵＥによってのみ使用される。さらに、論理制御チャネルは、専用制御情報を送信するポイント・トゥ・ポイント双方向チャネルであり、ＲＲＣ接続を有するＵＥによって使用される専用制御チャネル（ＤＣＣＨ）を含みうる。態様では、論理トラフィック・チャネルは、ユーザ情報を転送するために、１つのＵＥに専用のポイント・トゥ・ポイント双方向チャネルである専用トラフィック・チャネル（ＤＴＣＨ）を備える。さらに、論理トラフィック・チャネルは、トラフィック・データを送信するポイント・トゥ・マルチポイントＤＬチャネルのためのマルチキャスト・トラフィック・チャネル（ＭＴＣＨ）をも含みうる。
【００８８】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされることにより、および、他の制御／トラフィック・チャネルのために使用されうる物理レイヤ（ＰＨＹ）リソースにマップされることにより、ＵＥ節電をサポートする（例えば、不連続受信（ＤＲＸ）サイクルが、ネットワークによってＵＥへ示される）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。
【００８９】
ＰＨＹチャネルは、ＤＬチャネルとＵＬチャネルとのセットを備える。例えば、ＤＬ  ＰＨＹチャネルは、共通のパイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を含みうる。さらなる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードキャスト・パイロット・チャネル（ＢＰＩＣＨ）を含みうる。
【００９０】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００９１】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００９２】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００９３】
図１２を参照して、無線通信環境においてアンテナ仮想化を有効にすることを可能にするシステム１２００が例示される。例えば、システム１２００はＵＥ内に存在しうる。別の例によれば、システム１２００は、基地局内に少なくとも部分的に存在しうる。システム１２００は、プロセッサ、ソフトウェア、またはそれらの組み合わせ（例えば、ファームウェア）によって実現される機能を表す機能ブロックでありうる機能ブロックを含むものとして示されることが認識されるべきである。システム１２００は、連携して動作しうる電子構成要素の論理グループ１２０２を含む。例えば、論理グループ１２０２は、物理的な送信アンテナのセットを、物理的な送信アンテナの複数のグループへ分割するための電子構成要素１２０４を含みうる。さらに、これらグループのおのおのは、それぞれの仮想アンテナに対応しうる。さらに、論理グループ１２０２は、物理的な送信アンテナの複数のグループのためにそれぞれの事前符号化ベクトルを生成するための電子構成要素１２０６を含みうる。さらに、論理グループ１２０２は、それぞれの事前符号化ベクトルを用いて、送信用の信号について事前符号化を実施するための電子構成要素１２０８を含みうる。さらに、システム１２００は、電子構成要素１２０４、１２０６、１２０８に関連付けられた機能を実行するための命令群を保持するメモリ１２１０を含みうる。メモリ１２１０の外側にあるとして示されているが、電子構成要素１２０４、１２０６、１２０８のうちの１または複数は、メモリ１２１０内に存在しうることが理解されるべきである。
【００９４】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
なお、以下に、出願当初の特許請求の範囲に記載された発明を付記する。
［発明１］
無線通信環境において、アンテナ仮想化を実現することを容易にする方法であって、
物理的な送信アンテナのセットを、物理的な送信アンテナの複数のグループへ分割することと、
特定の仮想アンテナを形成する物理的な送信アンテナの特定のグループのための事前符号化ベクトルを、前記物理的な送信アンテナの複数のグループから定式化することと、
前記特定の仮想アンテナによる送信用の信号に、前記事前符号化ベクトルを適用することと
を備える方法。
［発明２］
前記物理的な送信アンテナのセットは、Ｔ個の物理的な送信アンテナを含み、
前記Ｔ個の物理的な送信アンテナのセットは、物理的な送信アンテナのＬ個のグループへ分割され、
Ｔは整数であり、Ｌは、Ｔ以下の整数である
発明１に記載の方法。
［発明３］
Ｌ個の仮想アンテナに対応するＬ個の事前符号化ベクトルが定式化される発明２に記載の方法。
［発明４］
別の仮想アンテナを形成する、前記物理的な送信アンテナの複数のグループから、前記物理的な送信アンテナの別のグループのための別の事前符号化ベクトルを定式化することと、
前記別の仮想アンテナによる送信用の別の信号に、前記別の事前符号化ベクトルを適用することと
をさらに備える発明１に記載の方法。
［発明５］
前記物理的な送信アンテナのセットは、ユーザ機器（ＵＥ）に関連付けられ、
前記信号は、アップリンクによる基地局への送信用である発明１に記載の方法。
［発明６］
形成する仮想アンテナの数を選択することをさらに備え、
前記仮想アンテナの数は、前記物理的な送信アンテナのセットが分割されるグループの数である発明５に記載の方法。
［発明７］
前記特定のグループのための事前符号化ベクトルを選択することをさらに備える発明５に記載の方法。
［発明８］
前記形成する仮想アンテナの数と、前記特定のグループのための事前符号化ベクトルとのうちの少なくとも１つを明示するインジケーションを、前記基地局から受信することをさらに備える発明５に記載の方法。
［発明９］
アンテナ仮想化に関連する情報が、前記基地局に対して透過的である発明５に記載の方法。
［発明１０］
前記事前符号化ベクトルは、前記特定の仮想アンテナを形成する特定のグループにおける物理的な送信アンテナに対応する非ゼロ入力を持つサイズＴ×１の単位ノルム・ベクトルであり、
Ｔは、前記セット内における物理的な送信アンテナの数である
発明５に記載の方法。
［発明１１］
異なる仮想アンテナに関連付けられた物理的な送信アンテナに対応する事前符号化ベクトルにおける入力の残りは、ゼロである発明１０に記載の方法。
［発明１２］
前記事前符号化ベクトル内の非ゼロ入力は定数である発明１０に記載の方法。
［発明１３］
前記事前符号化ベクトル内の非ゼロ入力は、周波数依存または時間依存のうちの少なくとも１つである発明１０に記載の方法。
［発明１４］
前記物理的な送信アンテナのセットは、基地局に関連付けられ、
前記信号は、ダウンリンクによるユーザ機器（ＵＥ）への送信用である
発明１に記載の方法。
［発明１５］
アンテナ仮想化に関連する情報が、前記ＵＥに対して透過的である発明１４に記載の方法。
［発明１６］
前記事前符号化ベクトルは、単位ノルム・ベクトルである発明１４に記載の方法。
［発明１７］
前記事前符号化ベクトルは、前記特定の仮想アンテナに参加する特定のグループにおける物理的な送信アンテナに対応する非ゼロ入力を持つ単位ノルム・ベクトルである発明１４に記載の方法。
［発明１８］
前記事前符号化ベクトルは、ディスクリート・フーリエ変換（ＤＦＴ）行列の特定のカラムであり、
前記ＤＦＴ行列の別のカラムが、別の仮想アンテナのために利用される
発明１４に記載の方法。
［発明１９］
前記物理的な送信アンテナのセットから、仮想アンテナのセットを確立することと、
前記仮想アンテナのセットにおける仮想アンテナの数を、レガシーＵＥへ通知することと、
前記物理的な送信アンテナのセットにおける物理的な送信アンテナの数を、非レガシーＵＥへ通知することと
をさらに備える発明１４に記載の方法。
［発明２０］
無線通信装置であって、
物理的な送信アンテナのセットを、物理的な送信アンテナの複数のグループに分割することと、
特定の仮想アンテナを形成する物理的な送信アンテナの特定のグループのための事前符号化ベクトルを、前記物理的な送信アンテナの複数のグループから生成することと、
前記特定の仮想アンテナによる送信用の信号に前記事前符号化ベクトルを適用することと、
に関連する命令群を保持するメモリと、
前記メモリに接続され、前記メモリに保持された命令群を実行するように構成されたプロセッサと
を備える無線通信装置。
［発明２１］
アンテナ仮想化に関連する情報が、受信無線通信装置に対して透過的である発明２０に記載の無線通信装置。
［発明２２］
前記物理的な送信アンテナのセットは、ユーザ機器（ＵＥ）に関連付けられ、
前記信号は、アップリンクによる基地局への送信用である
発明２０に記載の無線通信装置。
［発明２３］
前記メモリはさらに、
形成する仮想アンテナの数を選択することと、
前記特定のグループのための事前符号化ベクトルを選択することと
に関連する命令群を保持し、
前記仮想アンテナの数は、前記物理的な送信アンテナのセットが分割されるグループの数である
発明２２に記載の無線通信装置。
［発明２４］
前記メモリはさらに、
形成する仮想アンテナの数、または、前記特定のグループの事前符号化ベクトル、のうちの１つを明示するインジケーションを、前記基地局から受信することに関連する命令群を保持し、
前記仮想アンテナの数は、前記物理的な送信アンテナのセットが分割されるグループの数である
発明２２に記載の無線通信装置。
［発明２５］
前記事前符号化ベクトルは、前記特定の仮想アンテナを形成する特定のグループにおける物理的な送信アンテナに対応する非ゼロ入力を持つサイズＴ×１の単位ノルム・ベクトルであり、
Ｔは、前記セットにおける物理的な送信アンテナの数であり、前記事前符号化ベクトルにおける入力の残りはゼロである
発明２２に記載の無線通信装置。
［発明２６］
前記物理的な送信アンテナのセットは、基地局に関連付けられ、
前記信号は、ダウンリンクによるユーザ機器（ＵＥ）への送信用である
発明２０に記載の無線通信装置。
［発明２７］
前記事前符号化ベクトルは、前記特定の仮想アンテナに参加する特定のグループにおける物理的な送信アンテナに対応する非ゼロ入力を持つ単位ノルム・ベクトルである発明２６に記載の無線通信装置。
［発明２８］
前記事前符号化ベクトル内の非ゼロ入力は定数である発明２７に記載の無線通信装置。
［発明２９］
前記事前符号化ベクトル内の非ゼロ入力は、周波数依存または時間依存のうちの少なくとも１つである発明２７に記載の無線通信装置。
［発明３０］
前記事前符号化ベクトルは、ディスクリート・フーリエ変換（ＤＦＴ）行列の特定のカラムであり、前記ＤＦＴ行列の別のカラムが、別の仮想アンテナのために利用される発明２６に記載の無線通信装置。
［発明３１］
前記メモリはさらに、
前記グループの数に対応する仮想アンテナの数を、レガシーＵＥへ通知することと
前記物理的な送信アンテナのセットにおける物理的な送信アンテナの数を、非レガシーＵＥへ通知することと
に関連する命令群を保持する発明２６に記載の無線通信装置。
［発明３２］
無線通信環境において、アンテナ仮想化を有効にすることを可能にする無線通信装置であって、
物理的な送信アンテナのセットを、それぞれ仮想アンテナに対応する、物理的な送信アンテナの複数のグループへ分割する手段と、
前記物理的な送信アンテナの複数のグループのため、それぞれの事前符号化ベクトルを生成する手段と、
それぞれの事前符号化ベクトルを用いて、送信用の信号に、事前符号化を実施する手段と
を備える無線通信装置。
［発明３３］
それぞれの事前符号化ベクトルは、それぞれの仮想アンテナを形成する物理的な送信アンテナに対応する非ゼロ入力を持つサイズＴ×１のそれぞれの単位ノルム・ベクトルであり、
Ｔは、前記セット内における物理的な送信アンテナの数である
発明３２に記載の無線通信装置。
［発明３４］
前記それぞれの事前符号化ベクトルは、それぞれの単位ノルム・ベクトルである発明３２に記載の無線通信装置。
［発明３５］
前記それぞれの事前符号化ベクトルは、ディスクリート・フーリエ変換（ＤＦＴ）行列のそれぞれのカラムである発明３２に記載の無線通信装置。
［発明３６］
アンテナ仮想化に関連する情報が、受信無線通信装置に対して透過的である発明３２に記載の無線通信装置。
［発明３７］
コンピュータ読取可能媒体を備えるコンピュータ・プログラム製品であって、
前記コンピュータ読取可能媒体は、
物理的な送信アンテナのセットを、それぞれの仮想アンテナに対応する、物理的な送信アンテナの複数のグループへ分割するためのコードと、
前記物理的な送信アンテナの複数のグループのために、それぞれの事前符号化ベクトルを生成するためのコードと、
前記それぞれの事前符号化ベクトルを用いて、送信用の信号に事前符号化を実施するためのコードと
を備えるコンピュータ・プログラム製品。
［発明３８］
それぞれの事前符号化ベクトルは、それぞれの仮想アンテナを形成する物理的な送信アンテナに対応する非ゼロ入力を持つサイズＴ×１のそれぞれの単位ノルム・ベクトルであり、
Ｔは、前記セット内における物理的な送信アンテナの数である
発明３７に記載のコンピュータ・プログラム製品。
［発明３９］
前記それぞれの事前符号化ベクトルは、ディスクリート・フーリエ変換（ＤＦＴ）行列のそれぞれのカラムである発明３７に記載のコンピュータ・プログラム製品。
［発明４０］
アンテナ仮想化に関連する情報が、受信無線通信装置に対して透過的である発明３７に記載のコンピュータ・プログラム製品。
［発明４１］
無線通信装置であって、
物理的な送信アンテナのセットを、物理的な送信アンテナの複数のグループへ分割し、
特定の仮想アンテナを形成する物理的な送信アンテナの特定のグループのための事前符号化ベクトルを、前記物理的な送信アンテナの複数のグループから生成し、
前記特定の仮想アンテナによる送信用の信号に、前記事前符号化ベクトルを適用するように構成されたプロセッサを備える無線通信装置。
【図１】
0005373117.tif 000002
【図２】
0005373117.tif 000003
【図３】
0005373117.tif 000004
【図４】
0005373117.tif 000005
【図５】
0005373117.tif 000006
【図６】
0005373117.tif 000007
【図７】
0005373117.tif 000008
【図８】
0005373117.tif 000009
【図９】
0005373117.tif 000010
【図１０】
0005373117.tif 000011
【図１１】
0005373117.tif 000012
【図１２】
0005373117.tif 000013